(57)【特許請求の範囲】
【請求項１】
ユーザ端末（ＵＥ）によりチャネル状態情報（ＣＳＩ）を報告する方法であって、
第１のＣＳＩサブフレームセット及び第２のＣＳＩサブフレームセットを構成する構成情報を基地局（ＢＳ）から受信する段階と、
前記構成情報に基づいて前記第１のＣＳＩサブフレームセット内の第１の干渉測定リソース（ＩＭＲ）又は前記第２のＣＳＩサブフレームセット内の第２の干渉測定リソースを識別する段階と、
前記第１の干渉測定リソースに基づいて前記第１のＣＳＩサブフレームセットに関連した第１のＣＳＩを獲得するか、前記第２の干渉測定リソースに基づいて前記第２のＣＳＩサブフレームセットに関連した第２のＣＳＩを獲得する段階と、
前記ＢＳに、前記獲得された第１のＣＳＩ又は前記獲得された第２のＣＳＩを報告する段階と、を含むことを特徴とする方法。
【請求項２】
前記第１の干渉測定リソース及び前記第２の干渉測定リソースは、相異なるゼロパワー（ＺＰ）ＣＳＩ基準信号（ＲＳ）を含むことを特徴とする、請求項１に記載の方法。
【請求項３】
前記第１の干渉測定リソース及び前記第２の干渉測定リソース及びＣＳＩ−ＲＳは、一つのプロセスに含まれることを特徴とする、請求項１に記載の方法。
【請求項４】
前記ＵＥが前記第１のＣＳＩサブフレームセット及び前記第２のＣＳＩサブフレームセットで設定され、送信モード（ＴＭ）１０である場合、前記第１の干渉測定リソース又は前記第２の干渉測定リソースが識別されることを特徴とする、請求項１に記載の方法。
【請求項５】
チャネル状態情報（ＣＳＩ）を報告するためのユーザ端末（ＵＥ）であって、
第１のＣＳＩサブフレームセット及び第２のＣＳＩサブフレームセットを構成する構成情報を基地局（ＢＳ）から受信する送受信器と、
前記構成情報に基づいて前記第１のＣＳＩサブフレームセット内の第１の干渉測定リソース又は前記第２のＣＳＩサブフレームセット内の第２の干渉測定リソースを識別し、
前記第１の干渉測定リソースに基づいて前記第１のＣＳＩサブフレームセットに関連した第１のＣＳＩを獲得するか、又は、前記第２の干渉測定リソースに基づいて前記第２のＣＳＩサブフレームセットに関連した第２のＣＳＩを獲得するプロセッサと、を含み、
前記送受信器は、
前記ＢＳに前記獲得された第１のＣＳＩ又は前記獲得された第２のＣＳＩを報告することを特徴とするユーザ端末。
【請求項６】
前記第１の干渉測定リソース及び前記第２の干渉測定リソースは、相異なるゼロパワー（ＺＰ）ＣＳＩ基準信号（ＲＳ）を含むことを特徴とする、請求項５に記載のユーザ端末。
【請求項７】
前記第１の干渉測定リソース及び前記第２の干渉測定リソース及びＣＳＩ−ＲＳは、一つのプロセスに含まれることを特徴とする、請求項５に記載のユーザ端末。
【請求項８】
前記ＵＥが前記第１のＣＳＩサブフレームセット及び前記第２のＣＳＩサブフレームセットで設定され、送信モード（ＴＭ）１０である場合、前記第１の干渉測定リソース及び前記第２の干渉測定リソースが識別されることを特徴とする、請求項５に記載のユーザ端末。
【請求項９】
基地局（ＢＳ）によりチャネル状態情報（ＣＳＩ）を受信する方法であって、
ユーザ端末（ＵＥ）のために、第１のＣＳＩサブフレームセット及び第２のＣＳＩサブフレームセットを構成する構成情報を伝送する段階と、
前記ＵＥから、前記第１のＣＳＩサブフレームセットに関連する第１のＣＳＩ又は前記第２のＣＳＩサブフレームセットに関連する第２のＣＳＩを受信する段階と、を含み、
前記第１のＣＳＩは、前記ＵＥにより前記第１のＣＳＩサブフレームセット内の第１の干渉測定リソースに基づいて獲得され、前記第２のＣＳＩは、前記ＵＥにより前記第２のＣＳＩサブフレームセット内の第２の干渉測定リソースに基づいて獲得されることを特徴とする方法。
【請求項１０】
前記第１の干渉測定リソース及び前記第２の干渉測定リソースは、相異なるゼロパワー（ＺＰ）ＣＳＩ基準信号（ＲＳ）を含むことを特徴とする、請求項９に記載の方法。
【請求項１１】
前記第１の干渉測定リソース及び前記第２の干渉測定リソース及びＣＳＩ−ＲＳは、一つのプロセスに含まれることを特徴とする、請求項９に記載の方法。
【請求項１２】
前記ＵＥが前記第１のＣＳＩサブフレームセット及び前記第２のＣＳＩサブフレームセットで設定され、送信モード（ＴＭ）１０である場合、前記第１の干渉測定リソース及び前記第２の干渉測定リソースが識別されることを特徴とする、請求項９に記載の方法。
【請求項１３】
チャネル状態情報（ＣＳＩ）を受信するための基地局（ＢＳ）であって、
ユーザ端末（ＵＥ）のために、第１のＣＳＩサブフレームセット及び第２のＣＳＩサブフレームセットを構成する構成情報を伝送し、
前記ＵＥから、前記第１のＣＳＩサブフレームセットに関連する第１のＣＳＩ又は前記第２のＣＳＩサブフレームセットに関連する第２のＣＳＩを受信する送受信器を含み、
前記第１のＣＳＩは、前記ＵＥにより前記第１のＣＳＩサブフレームセット内の第１の干渉測定リソースに基づいて獲得され、前記第２のＣＳＩは、前記ＵＥにより前記第２のＣＳＩサブフレームセット内の第２の干渉測定リソースに基づいて獲得されることを特徴とする基地局。
【請求項１４】
前記第１の干渉測定リソース及び前記第２の干渉測定リソースは、相異なるゼロパワー（ＺＰ）ＣＳＩ基準信号（ＲＳ）を含むことを特徴とする、請求項１３に記載の基地局。
【請求項１５】
前記第１の干渉測定リソース及び前記第２の干渉測定リソース及びＣＳＩ−ＲＳは、一つのプロセスに含まれることを特徴とする、請求項１３に記載の基地局。
【請求項１６】
前記ＵＥが前記第１のＣＳＩサブフレームセット及び前記第２のＣＳＩサブフレームセットで設定され、送信モード（ＴＭ）１０である場合、前記第１の干渉測定リソース及び前記第２の干渉測定リソースが識別されることを特徴とする、請求項１３に記載の基地局。
【発明の詳細な説明】
【技術分野】
【０００１】
本発明は、一般的に、無線通信システムに関し、より具体的には、フレキシブルサブフレーム（flexible subframe）でのアップリンク／ダウンリンク（ＵＬ／ＤＬ）送信を実行する方法及び装置に関する。
【背景技術】
【０００２】
ロングタームエボリューション（Long Term Evolution：ＬＴＥ）通信システムは、時分割複信（Time Division Duplexing：ＴＤＤ）ワーキングモードをサポートする。図１は、ＴＤＤシステムのフレーム構造を示す概略図である。各無線フレームは、１０ｍｓの長さを有し、それぞれ５ｍｓの長さを有する２つのハーフフレーム（half frame）に均等に分割される。それぞれのハーフフレームは、それぞれ０．５ｍｓの長さを有する８個の時間スロットを含む。また、それぞれのハーフフレームは、３個の特殊フィールド（すなわち、ダウンリンクパイロット時間スロット（ＤｗＰＴＳ）、保護期間（ＧＰ）、及びアップリンクパイロット時間スロット（ＵｐＰＴＳ））を含む。３個の特殊フィールドの総長さは、１ｍｓである。それぞれのサブフレームは、２つの連続的な時間スロットを含む（例えば、ｋ番目のサブフレームは、時間スロット２ｋ及び時間スロット２ｋ＋１を含む）。ＴＤＤシステムは、ＬＴＥ  ＴＤＤ  ＵＬ／ＤＬ構成を示す表１に示すように、７個のタイプのＵＬ／ＤＬ構成をサポートする。表１において、Ｄは、ダウンリンクサブフレームを示し、Ｕは、アップリンクサブフレームを示し、Ｓは、３個の特殊フィールドを含む特殊サブフレームを示す。
【０００３】
【表１】
0006433919.tif 000002
【０００４】
ＬＴＥ  ＴＤＤ規格によると、サブフレーム０、サブフレーム５、サブフレーム１のＤｗＰＴＳ、及びサブフレーム６のＤｗＰＴＳは、常にダウンリンク送信のために使用され、サブフレーム２、サブフレーム１、及びサブフレーム６のＵｐＰＴＳは、常にアップリンク送信のために使用される。他の５個のサブフレーム（すなわち、サブフレーム３、サブフレーム４、サブフレーム７、サブフレーム８、及びサブフレーム９）は、一部のＵＬ／ＤＬ構成では、ダウンリンクサブフレームとして使用され、他のＵＬ／ＤＬ構成では、アップリンクサブフレームとして使用される。
【０００５】
従来のＬＴＥ  ＴＤＤ標準において、セルにより採用されたＵＬ／ＤＬ構成は、ブロードキャスティングシグナリングを通して構成される（すなわち、ＵＬ／ＤＬ構成は、システム情報ブロック１（ＳＩＢ１）に含まれる）。このように、ＬＴＥシステムは、従来の標準に従って、３時間ごとに最大３２回のシステム情報の変更とＵＬ／ＤＬ構成の変更との間に少なくとも６４０ｍｓをサポートする。サービス特性の高速の変更にさらによく適応するようにするために、第３世代パートナーシッププロジェクト（３ＧＰＰ）は、システムでのＵＬ／ＤＬサブフレームの分配のより高速の変更を可能にする方式について現在取り組んでいる。例えば、３ＧＰＰは、無線フレームの長さである１０ｍｓごとにＵＬ／ＤＬ構成を変更するか、または半静的に変更する方式で２００ｍｓごとに１つのＵＬ／ＤＬ構成変更のように、より頻繁にＵＬ／ＤＬ構成を変更できる。実際に、基地局スケジューラは、サービス要求に従ってＵＬ／ＤＬサブフレームの分配を変更でき、特定のスケジューリング制限方式を採用することにより適切にシステム実行を保持できる。７個のＵＬ／ＤＬ構成ののうちのどの構成の下でＵＥが実行されているかを認識する必要はない。また、作業するＵＬ／ＤＬサブフレームの分配は、表１に示すような７個のＵＬ／ＤＬ構成に必ず限定されない（すなわち、システムにより実際に採用されるＵＬ／ＤＬサブフレームの分配は、ＵＥに透過であり得る）。
【０００６】
セルにより採用されたＵＬ／ＤＬサブフレームの分配でのフレキシブル変更をサポートするシステムにおいて、基地局は、システム性能を最適化するためにＵＬ／ＤＬトラフィックの現在の分配に基づいてＵＬ／ＤＬサブフレームの分配を調整する。しかしながら、このようなシステムには、問題がある。より具体的には、一部のセルは、デュプレキシング方向がアップリンク送信に対してフレキシブルであるサブフレーム（フレキシブルサブフレームと称する）を使用でき、他のセルは、ダウンリンク送信に対してフレキシブルサブフレームを使用でき、これは、干渉変化をもたらす。アップリンク送信のためのサブフレームを使用するセルにおいて、ＵＥのアップリンク信号は、隣接した基地局からのダウンリンク信号により引き起こされる干渉を経験する。ダウンリンク送信のためのサブフレームを使用するセルにおいて、セルでＵＥに送信されるダウンリンク信号は、隣接したセルでＵＥからのアップリンク信号により引き起こされる干渉を経験する。従来のＬＴＥ  ＴＤＤシステムでは、同一のタイミング位置でサブフレームにより引き起こされるこのような基地局対基地局干渉及びＵＥ対ＵＥ干渉がまったくない。このような干渉の変化は、フレキシブルサブフレームでのダウンリンク制御シグナリング及びダウンリンクデータの送信に影響を及ぼす。
【発明の概要】
【発明が解決しようとする課題】
【０００７】
本発明は、上述した課題もしくは不都合な点を解決し、少なくとも以下に示す優位性を提供する。
【０００８】
したがって、本発明の一態様は、フレキシブルサブフレームでのアップリンク／ダウンリンク（ＵＬ／ＤＬ）送信の性能を向上させるためにフレキシブルサブフレームでＵＬ／ＤＬ送信を実行する方法及び装置を提供することにある。
【課題を解決するための手段】
【０００９】
上記のような目的を達成するために、本発明の一態様によれば、フレキシブルサブフレームでのＵＬ／ＤＬ送信を実行するためにユーザ端末（ＵＥ）により実行される方法が提供される。上記方法は、固定されたデュプレキシング方向を有するサブフレームの構成情報とは異なるダウンリンク送信構成情報をフレキシブルサブフレームで受信するステップと、フレキシブルサブフレームで基地局により送信されるダウンリンク制御情報を検出するステップと、ダウンリンク制御情報に対応するダウンリンクデータを受信するステップと、ダウンリンクチャネル状態表示（ＣＳＩ）情報及びダウンリンクデータに対するハイブリッド自動反復要求（ＨＡＲＱ）−アクノリッジメント（ＡＣＫ）を基地局に報告するステップとを有することを特徴とする。
【００１０】
本発明の他の態様によれば、フレキシブルサブフレームでのアップリンク／ダウンリンク（ＵＬ／ＤＬ）送信を実行する装置が提供される。上記装置は、フレキシブルサブフレームでダウンリンク送信構成情報を受信し、構成情報を構成モジュールに送信し、フレキシブルサブフレームで基地局により送信されるダウンリンク制御情報を検出し、ダウンリンク制御情報に対応するダウンリンクデータを受信するように構成される送信／受信モジュールと、デュプレキシング方向が固定されるサブフレームに対する構成とは異なるフレキシブルサブフレームに対する構成を実行するように構成される構成モジュールと、ＣＳＩ及びダウンリンクデータに対するＨＡＲＱ−ＡＣＫを基地局に報告するように構成されるフィードバックモジュールとを有することを特徴とする。
本発明の実施形態の上述した及び他の様相、特徴、及び利点は、添付の図面が併用された以下の詳細な説明から、より一層明らかになる。
【図面の簡単な説明】
【００１１】
【図１】ＴＤＤシステムのフレーム構造を示す概略図である。
【図２】本発明の一実施形態によるフレキシブルサブフレームでのＵＬ／ＤＬ送信を実行する方法を示すフローチャート図である。
【図３】本発明の一実施形態による干渉測定信号を示す概略図である。
【図４】本発明の一実施形態による構造を示す概略図である。
【図５】本発明の一実施形態による図２のステップ２０１の様々な例を示すフローチャート図である。
【図６】本発明の一実施形態による図２のステップ２０１の様々な例を示すフローチャート図である。
【図７】本発明の一実施形態による図２のステップ２０１の様々な例を示すフローチャート図である。
【図８】本発明の一実施形態による図２のステップ２０１の様々な例を示すフローチャート図である。
【図９】本発明の一実施形態によるＵＥの構造を示す概略図である。
【発明を実施するための形態】
【００１２】
以下、本発明の様々な実施形態を、添付図面を参照しつつ詳細に説明する。本発明の下記の説明において、明瞭性と簡潔性の観点から、本発明に関連した公知の機能や構成に関する具体的な説明が本発明の要旨を不明瞭にすると判断される場合には、その詳細な説明を省略する。
【００１３】
本発明の一実施形態によるＵＬ／ＤＬサブフレームの分配のフレキシブル構成をサポートするＴＤＤシステムにおいて、ＵＬ／ＤＬ構成は、バックワード互換性（backward compatibility）を提供するためにブロードキャストチャネルＳＩＢ１でさらに送信され、セル内のすべてのＵＥは、ＵＬ／ＤＬ構成を受信することができ、ここでは、ＵＬ／ＤＬ構成を“ＳＩＢ１バックワードＵＬ／ＤＬ構成”と称する。ＵＥは、ＵＥがＵＬ／ＤＬサブフレームの分配のフレキシブル構成をサポートするか否かに基づいて２つのカテゴリーに分類することができる。２つのカテゴリーののうちの１つは、ＵＬ／ＤＬサブフレームの分配のフレキシブル構成をサポートしないＵＥを含む。カテゴリー１のＵＥは、ＳＩＢ１バックワードＵＬ／ＤＬ構成のみに従って作業できる。基地局が特定のサブフレームの送信方向を変更する場合に、基地局スケジューラは、カテゴリー１のＵＥの正常のＵＬ／ＤＬデータ送信を保証するためにデュプレキシング方向が変更されるこれらのサブフレームでカテゴリー１のＵＥのＵＬ／ＤＬ送信をスケジューリングすることを避けるための特定のアクションを実行する。２つのカテゴリーのうちの他の１つは、ＵＬ／ＤＬサブフレームの分配のフレキシブル構成をサポートするＵＥを含む。
【００１４】
本発明の一実施形態による方法がＵＬ／ＤＬサブフレームの分配のフレキシブル構成をサポートするＵＥのこのようなカテゴリーに適用される。システム性能は、カテゴリー２のＵＥのアクションを定義することにより最適化できる。本発明の一実施形態によるフレキシブルサブフレームを決定する方法によると、ＵＥがＤＬ基準ＵＬ／ＤＬ構成に基づいてＰＤＳＣＨを送信する場合に、ＳＩＢ１  ＵＬ／ＤＬ構成のアップリンクサブフレームであり、ＤＬ基準ＵＬ／ＤＬ構成のダウンリンクサブフレームであるサブフレームは、フレキシブルサブフレームであると決定される。
【００１５】
フレキシブルサブフレームにおいて、一部のセルは、他のセルがダウンリンク送信を実行する間にアップリンク送信を実行し、これは、アップリンク送信とダウンリンク送信との間の相互干渉を引き起こす。サブフレームでアップリンク送信を実行するセルにおいて、セル内のＵＥのアップリンク信号は、隣接した基地局からのダウンリンク信号により引き起こされる干渉も経験する。サブフレームでダウンリンク送信を実行するセルにおいて、セル内のＵＥに送信されるダウンリンク信号は、隣接したセル内のＵＥからのアップリンク信号により引き起こされる干渉も経験する。しかしながら、従来のＬＴＥ  ＴＤＤシステムでは、従来のＬＴＥ  ＴＤＤシステム内のすべての基地局がサブフレームのタイミング位置で同一のデュプレキシング方向を有するので、基地局とＵＥとの間のこのような干渉がない。干渉の分布の変化は、フレキシブルサブフレームでのＵＬ／ＤＬデータ送信（例えば、強化した物理ダウンリンク制御チャネル（ＥＰＤＣＣＨ）の送信、物理ダウンリンク共有チャネル（ＰＤＳＣＨ）の送信、及び物理アップリンク共有チャネル（ＰＵＳＣＨ）の送信）に影響を及ぼす。
【００１６】
図２は、本発明の一実施形態によるフレキシブルサブフレームでのＵＬ／ＤＬ送信のための方法を示すフローチャートである。
図２を参照すると、ブロック２０１において、ＵＥは、フレキシブルサブフレームでダウンリンク送信の構成情報を受信する。構成情報は、固定されたデュプレキシング方向を有するサブフレームの構成情報とは異なる。
【００１７】
本発明の一実施形態によるフレキシブルサブフレームでアップリンク／ダウンリンク送信を実行する第１の方法は、フレキシブルサブフレームがダウンリンク送信のために使用される場合に、マルチキャストブロードキャスト単一周波数ネットワーク（ＭＢＳＦＮ）のサブフレーム構造、セル特定基準信号（ＣＲＳ）、及びフレキシブルサブフレームの前部で送信されるダウンリンク制御情報を採用するステップと、フレキシブルサブフレームのデータフィールドでＰＤＳＣＨを送信するステップとを含む。
【００１８】
フレキシブルサブフレームでアップリンク／ダウンリンク送信を実行する第１の方法は、フレキシブルサブフレームがアップリンク送信のために使用される場合に、ＭＢＳＦＮのサブフレーム構造を採用するステップと、フレキシブルサブフレームの前部でＣＲＳ及びダウンリンク制御情報を送信するステップと、フレキシブルサブフレームのデータフィールドでＰＵＳＣＨを送信するステップとをさらに含む。
【００１９】
ＮがＯＦＤＭシンボルの総数であり、ＭＢＳＦＮのサブフレーム構造が採用され、ＯＦＤＭシンボルの個数“ｍ”がサブフレームの前部に位置するダウンリンク送信のために使用される場合に、ＵＥ及び基地局がすべてＵＬ／ＤＬスイッチングを実行する時間を必要とするために、ベアラとして使用されることができるアップリンク単一搬送波周波数分割多重アドレス（ＳＣＦＤＭＡ）シンボルの個数は、Ｎ−ｍ未満である。
【００２０】
本発明の一実施形態によるフレキシブルサブフレームでアップリンク送信に使用可能なリソースを決定する方法の、上述した方法による５つの例が次のように説明される。
【００２１】
ここで、ＭＢＳＦＮ構造のサブフレームを採用するサブフレームは、“ＭＢＳＦＮサブフレーム”と称され、ＭＢＳＦＮ構造のサブフレームを採用しないサブフレームは、“非ＭＢＳＦＮサブフレーム”と称される。
【００２２】
本発明の一実施形態によるＭＢＳＦＮに基づいてアップリンク送信のためのリソースを決定する第１の方法の第１の例は、ＭＢＳＦＮサブフレームの物理制御フォーマット指示子チャネル（ＰＣＦＩＣＨ）を使用して、“ｎ”で表示される、ダウンリンク送信のために使用可能なＯＦＤＭシンボルの個数を決定するステップを含む。サブフレームの第１のｎ個のＯＦＤＭシンボルは、ダウンリンク送信専用として見なされ、サブフレームの残りの時間は、アップリンク送信のために使用される。
【００２３】
本発明の一実施形態によるＭＢＳＦＮに基づいてアップリンク送信のためのリソースを決定する第１の方法の第２の例は、ダウンリンク送信専用ＣＲＳを含むＭＢＳＦＮサブフレームの前部でＯＦＤＭシンボルを生成するステップと、アップリンク送信に使用可能なサブフレームの残りの部分を作るステップとを含む。１つ又は２つのＣＲＳポートが存在する場合に、サブフレームの１番目のＯＦＤＭシンボルだけがダウンリンク送信専用である。あるいは、４個のＣＲＳポートが存在する場合に、１番目の２つのＯＦＤＭシンボルがダウンリンク送信専用である。
【００２４】
本発明の一実施形態によるＭＢＳＦＮに基づいてアップリンク送信のためのリソースを決定する第１の方法の第３の例は、ダウンリンク送信専用ＣＲＳを含むＭＢＳＦＮサブフレームの前部に位置したＯＦＤＭシンボルを生成するステップと、ダウンリンク送信専用物理ＨＡＲＱ指示子チャネル（ＰＨＩＣＨ）送信により占有されるＯＦＤＭシンボルを生成するステップ（すなわち、ダウンリンク送信専用シンボルの個数は、ｍａｘ（ＮＣＲＳ，ＮＰＨＩＣＨ）である）と、アップリンク送信に使用可能なサブフレームの残りの時間を作るステップとを含む。ＮＣＲＳは、ＣＲＳを含むＭＢＳＦＮサブフレームの前部に位置したＯＦＤＭシンボルの個数を示し、ＮＰＨＩＣＨは、Ｐ−ＢＣＨで構成されたＰＨＩＣＨの時間長さ（すなわち、ＰＨＩＣＨ送信により占有されるＯＦＤＭシンボルの個数）を示す。
【００２５】
本発明の一実施形態によるＭＢＳＦＮに基づいてアップリンク送信のためのリソースを決定する第１の方法の第４の例は、ＰＨＩＣＨが送信されるフレキシブルＭＢＳＦＮサブフレームに対して上述した第３の例に従ってダウンリンク送信専用ＯＦＤＭシンボルの個数を決定し、サブフレームの残りの時間がアップリンク送信に使用可能であるか否かを決定するステップと、ＰＨＩＣＨを送信しないフレキシブルＭＢＳＦＮサブフレームに対して、全サブフレームより少ないサブフレームが、ＬＴＥシステムにおいて、ＰＵＳＣＨに対するＨＡＲＱのタイミング方式に従ってＰＨＩＣＨ及びアップリンクスケジューリング情報（すなわち、ＵＬグラント）を送信できるので、上述した第２の例に従ってダウンリンク送信専用ＯＦＤＭシンボルの個数を決定し、サブフレームの残りの時間がアップリンク送信に使用可能であるか否かを決定するステップとを含む。
【００２６】
本発明の一実施形態によるＭＢＳＦＮに基づいてアップリンク送信のためのリソースを決定する第１の方法の第５の例は、上位レイヤーシグナリングを通してアップリンク送信のためのシンボルの開始位置であるＯＦＤＭシンボルのインデックスを構成するか、又は上位レイヤーシグナリングを通してフレキシブルＭＢＳＦＮサブフレームでダウンリンク送信専用ＯＦＤＭシンボルの個数を構成するステップとを含む。また、上位レイヤーは、フレキシブルサブフレームに対するＰＵＳＣＨ送信構成情報の複数の異なるタイプを構成する。ＰＵＳＣＨ送信構成の各タイプは、ダウンリンク送信専用ＯＦＤＭシンボルの異なる個数を示し、サブフレームの残りの時間は、アップリンク送信のために使用される。
【００２７】
フレキシブルサブフレームでＵＬ／ＤＬ送信を実行する第１の方法の最後の４個の例（すなわち、第２の例乃至第５の例）は、ダウンリンク送信に実際に使用されるＯＦＤＭシンボルの個数となるようにＭＢＳＦＮのＰＣＦＩＣＨ値を設定することにより基地局で具現されることができる。
【００２８】
フレキシブルサブフレームでＵＬ／ＤＬ送信を実行する上述した第１の方法は、サブフレームのデュプレキシング方向変化の影響がないＣＲＳ送信を保証するＭＢＳＦＮのサブフレーム構造を採用する。したがって、このようなフレキシブルサブフレームがアップリンク送信のために使用される場合に、フレキシブルサブフレームをサポートしない低いバージョンのＵＥの無線リソース管理（ＲＲＭ）測定は、影響を受けないはずである。
【００２９】
本発明の一実施形態によるフレキシブルサブフレームでＵＬ／ＤＬ送信を実行する第２の方法は、フレキシブルサブフレームがダウンリンク送信のために使用される場合に、フレキシブルサブフレーム内でＣＲＳを何も送信しないステップと、サブフレーム内のすべてのＯＦＤＭシンボルがダウンリンク送信のために使用可能であると決定するステップと、ＰＤＳＣＨを使用して（例えば、ＬＴＥリリース１１で定義されたＥＰＤＣＣＨを使用して）周波数分割マルチプレキシングのみを通してダウンリンク制御シグナリングを送信するステップとを含み、フレキシブルサブフレームがアップリンク送信のために使用される場合には、ダウンリンク制御シグナリングを送信し、すべてのＯＦＤＭシンボルがアップリンク送信のために使用可能であると決定するステップを含む。
【００３０】
フレキシブルサブフレームでＵＬ／ＤＬ送信を実行する上述した第１の方法及び第２の方法において、フレキシブルサブフレームがダウンリンク送信のために使用される場合に、ＣＲＳがサブフレームの前部のみに存在するか、あるいは、ＣＲＳがサブフレームにまったく存在しないために、復調基準信号（ＤＭＲＳ）デマルチプレキシングに基づく方法は、ＰＤＳＣＨのために採用される。
【００３１】
本発明の一実施形態によるフレキシブルサブフレームでＵＬ／ＤＬ送信を実行する第３の方法は、次のように説明される。フレキシブルサブフレームがダウンリンク送信のために使用される場合に、サブフレームの規則的なＣＲＳ構造を有するＣＲＳは、全サブフレームにわたって送信され、ＣＲＳ以外のリソースエレメント（ＲＥ）は、ダウンリンク送信のために使用可能である。このような構造を使用することにより、ＣＲＳ送信を必要とし、ＬＴＥシステムで定義されるすべてのダウンリンク送信モードは、フレキシブルサブフレームに適用されることができる。フレキシブルサブフレームがアップリンク送信のために使用される場合に、すべてのＯＦＤＭシンボルは、アップリンク送信のために使用されることができる。
【００３２】
ＬＴＥリリース１１規格によると、送信モード（ＴＭ）１０に対して、システムは、ＰＤＳＣＨの準コロケーション（Quasi Co-Location：ＱＣＬ）及びＲＥマッピングに対する構成情報の４個の異なるタイプを構成でき、ダウンリンク制御指示（ＤＣＩ）フォーマットで２つのビットを通して現在のＰＤＳＣＨ送信により採用されるＱＣＬ及びＲＥマッピングのタイプを示す。プロセスに含まれるパラメータは、ＣＲＳポートの個数、ＰＤＳＣＨマッピングのために使用されるシンボルの開始位置であるＯＦＤＭシンボルのインデックス、ＭＢＳＦＮサブフレーム構成、非ゼロパワーチャネル状態表示基準信号（ＮＺＰ  ＣＳＩ−ＲＳ）の構成、及びゼロパワーチャネル状態表示基準信号（ＺＰ  ＣＳＩ−ＲＳ）の構成を含むことができる。
【００３３】
フレキシブルサブフレームにより採用されたＣＲＳ構造は、専用シグナリングメカニズムを使用することにより構成される。あるいは、ＵＥがＴＭ１乃至ＴＭ９のうちのいずれか１つで構成される場合に、ＵＥは、フレキシブルサブフレームに含まれるＣＲＳを決定できる。ＵＥがＴＭ１０で構成される場合に、ＵＥは、フレキシブルサブフレームがＣＲＳ、ＰＤＳＣＨ  ＲＥマッピング、及びＱＣＬ構成に基づくＣＲＳを有するサブフレームの構造を含むか否かを決定する。
【００３４】
ＵＥがＴＭ１乃至ＴＭ９のうちのいずれか１つで構成される場合に、従来のＭＢＳＦＮ構成は、ダウンリンク送信のために使用されるフレキシブルサブフレームがＣＲＳを有するＭＢＳＦＮサブフレームの構造を採用するか、又はＣＲＳを有する規則的なサブフレームの構造を採用するか否かを特定するために使用される。例えば、ＳＩＢ１  ＵＬ／ＤＬ構成でアップリンクサブフレームがフレキシブルサブフレームである場合、アップリンクサブフレームに対応するビットがＭＢＳＦＮ構成で設定されるとき、フレキシブルサブフレームは、フレキシブルサブフレームがダウンリンク送信のために使用される場合に、ＣＲＳを有するＭＢＳＦＮサブフレームの構造を採用する。他方、アップリンクサブフレームに対応するビットがＭＢＳＦＮ構成で削除されるとき、フレキシブルサブフレームは、フレキシブルサブフレームがダウンリンク送信のために使用される場合にＣＲＳを有する規則的なサブフレームの構造を採用する。
【００３５】
ＴＭ１０に対して、フレキシブルサブフレームがＰＤＳＣＨを送信するために使用される場合に、ＲＥマッピング及びＱＣＬ構成は、ダウンリンク送信専用サブフレームの構成とは異なる。ＲＥマッピングを例にとると、フレキシブルサブフレームでのＣＲＳ構造は、ダウンリンク送信専用サブフレームでのＣＲＳ構造と異なり、これに従って、ＰＤＳＣＨに対するＲＥマッピング方法も異なる。例えば、サブフレーム内にＣＲＳがまったく存在しない場合に、フレキシブルサブフレーム内のすべてのＲＥは、ＰＤＳＣＨ送信のために使用可能である。また、フレキシブルサブフレームのＱＣＬ構成は、ダウンリンク送信専用サブフレームのＱＣＬ構成とも異なる。
【００３６】
ＬＴＥリリース１１において、ＰＤＳＣＨのＲＥマッピング及びＱＣＬ構成が構成される場合に、ＺＰ  ＣＳＩ−ＲＳに対する構成が構成される。ＵＥは、レートマッチングの間にＺＰ  ＣＳＩ−ＲＳにより占有されたＲＥを無視し、ＲＥマッピングの間にＺＰ  ＣＳＩ−ＲＳにより占有されるように構成されるＲＥをスキップする。ＺＰ  ＣＳＩ−ＲＳは、他のセルのＣＳＩ−ＲＳの測定正確性を向上させるために使用され、干渉測定リソース（ＩＭＲ）も含む。ＺＰ  ＣＳＩ−ＲＳは、ｅＮＢ構成の対象となる１つ以上のＩＭＲリソースを含む。ＬＴＥリリース１１において、ＺＰ  ＣＳＩ−ＲＳがＩＭＲを含む場合に、ＩＭＲの包含は、ＩＭＲの影響がレートマッチング及びＲＥマッピングの間に相殺したことを示す。ＺＰ  ＣＳＩ−ＲＳがＩＭＲを含まない場合に、レートマッチング及びＲＥマッピングの間に何の特定の処理もＩＭＲで実行されない、すなわち、レートマッチングは、ＩＭＲがＰＤＳＣＨを送信すると仮定して実行されるが、ＰＤＳＣＨは、ＲＥマッピングの間にＩＭＲで送信されず、これは、ＰＤＳＣＨリンク性能の低下につながる。ＬＴＥリリース１１において、ＺＰ  ＣＳＩ−ＲＳの構成は、サイクリック期間“Ｔ”及びサブフレームオフセット“ｋ”の構成を通して実現され、すなわち、ＺＰ  ＣＳＩ−ＲＳは、すべてのＴサブフレームに対して１回構成され、各サイクリック期間でｋ番目のサブフレームを占有する。ＺＰ  ＣＳＩ−ＲＳのサイクリック期間Ｔは、５ｍｓの整数倍（integral multiple）である。
【００３７】
図５に示すように、ステップ２０１Ａは、図２のステップ２０１を例示するために使用されることができる。図５を参照すると、ステップ２０１Ａにおいて、ＵＥは、ＩＭＲで構成情報を受信し、フレキシブルサブフレームに関する構成情報は、固定されたサブフレームに関する構成情報とは異なる。フレキシブルサブフレームでの干渉の分布がダウンリンク送信専用サブフレームでの分布と異なるために、干渉測定信号は、フレキシブルサブフレーム及びダウンリンク送信専用サブフレームでそれぞれ干渉を測定するためにフレキシブルサブフレーム及びダウンリンク送信専用サブフレームでそれぞれ構成される。例えば、ＬＴＥリリース１１で定義されたＩＭＲ構造が使用される。本発明の一実施形態によると、２つのＩＭＲは、２つの異なるサブフレームセットにそれぞれ構成される。ｉ（ｉ＝０，１）番目のＩＭＲとして機能するＺＰ  ＣＳＩ−ＲＳに対して、サイクリック期間Ｔｉ、サブフレームオフセットｋｉ、及びサブフレーム内のＩＭＲにより占有されるＣＳＩ−ＲＳのＲＥリソースが構成される。
【００３８】
２つのＩＭＲのうちの１つは、２つのＩＭＲのうちの他の１つの対応するパラメータとは異なるパラメータ、すなわち、サイクリック期間Ｔｉ、サブフレームオフセットｋｉ、及びサブフレーム内のＩＭＲにより占有されるＣＳＩ−ＲＳのＲＥリソースのうちの一部又は全体を有する。例えば、２つのＩＭＲは、サブフレームでＣＳＩ−ＲＳの同一のＲＥリソースを占有し、同一のサイクリック期間を有するが、異なるサブフレームオフセットを有する。異なるサブフレームオフセットは、２つのサブフレームセットでの干渉がそれぞれ測定されるように２つのＩＭＲが２つの異なるサブフレームセットに位置することを保証する。
【００３９】
１つのサブフレームセットは、ダウンリンク送信専用サブフレームのすべてを含み、他のサブフレームセットは、フレキシブルサブフレームのすべてを含む。あるいは、サブフレームセットは、ダウンリンク送信専用サブフレーム及びフレキシブルサブフレームに基づく代わりに干渉レベルに基づいて分類される。例えば、１つのサブフレームセットは、干渉が他のセルのダウンリンク送信により主に引き起こされるフレキシブルサブフレーム及びダウンリンク送信専用のすべてのサブフレームを含み、他のサブフレームセットは、第１のサブフレームセットでフレキシブルサブフレームを除外することにより他のフレキシブルサブフレームを含む。
【００４０】
また、異なるフレキシブルサブフレームは、一般的に、干渉の異なる分布を有する。例えば、サブフレーム３、サブフレーム４、サブフレーム８、及びサブフレーム９がフレキシブルサブフレームである場合に、サブフレーム３及びサブフレーム８は、サブフレーム４及びサブフレーム９よりアップリンク送信のために使用されるより高い確率を有し、したがって、干渉分布が異なり得る。上記のような分析に基づいて、サブフレームは、複数のサブフレームセットに分類されるフレキシブルサブフレームを有するようにＮ（ここで、Ｎは、２より大きい）個のサブフレームセットに分割され、ここで、それぞれのサブフレームセットは、類似した干渉レベルを有するフレキシブルサブフレーム及び／又はダウンリンク送信専用サブフレームのみを含む。このような例において、Ｎ（ここで、Ｎは、２より大きい）個のＩＭＲは、それぞれＮ個の異なるサブフレームセットにより使用するために構成される。このような構成は、上述したＩＭＲ割り当て方法の拡張として見なされることができる。
【００４１】
ＬＴＥ  ＴＤＤフレーム構造によると、ハーフフレームのサブフレーム０及びサブフレーム１は、一般的にダウンリンク送信専用であり、ハーフフレームのサブフレーム３及びサブフレーム４は、フレキシブルサブフレームであり得る。フレキシブルサブフレーム及びダウンリンク送信専用ダウンリンクサブフレームで干渉をそれぞれ測定するために、複数の５ｍｓに基づいて構成されたＺＰ  ＣＳＩ−ＲＳは、すべてのＩＭＲをカバーできず、したがって、ＰＤＳＣＨ送信のリンク性能の低下につながる。
【００４２】
図６に示すように、ステップ２０１Ｂは、図２のステップ２０１に対して使用される。図６を参照すると、ステップ２０１Ａにおいて、ＵＥは、ＰＤＳＣＨ  ＲＥマッピング及びＱＣＬに関する構成情報を受信し、フレキシブルサブフレームに関する構成情報は、固定されたサブフレームに関する構成情報と異なる。異なるＺＰ  ＣＳＩ−ＲＳは、ＰＤＳＣＨのＲＥマッピング及びＱＣＬの構成の間にフレキシブルサブフレーム及びダウンリンク送信専用サブフレームのために構成される。例えば、ダウンリンク送信専用サブフレーム及びフレキシブルサブフレームは、個別に構成されるサブフレームオフセット及びＺＰ  ＣＳＩ−ＲＳのそれぞれのサイクリック期間を有する。フレキシブルサブフレームのために構成されたＺＰ  ＣＳＩ−ＲＳは、ＰＤＳＣＨ送信のリンク性能を保証するためにＩＭＲとして使用されるリソースを含む。あるいは、ＲＥマッピング及びＱＣＬ構成情報は、ＩＭＲを示す付加情報も含む。付加情報は、リリース１１システムで定義されるものと同一のＩＭＲのための構成方式を再使用できる。リリース１１に定義される方法とは異なり、ＩＭＲを示す付加情報は、ＲＥマッピング及びＱＣＬに付加される。この場合に、付加情報は、ＵＥがレートマッチングの間にＩＭＲにより占有されるＲＥを削除し、ＲＥマッピングの間にＩＭＲにより占有されるこれらのＲＥをスキップすることを示すであろう。情報は、フレキシブルサブフレームのみに対してＩＭＲを示すか、またはダウンリンク送信専用サブフレームに対するＩＭＲ及びフレキシブルサブフレームに対するＩＭＲのすべてを示す。
本発明の実施形態によるフレキシブルサブフレームのＰＤＳＣＨのＲＥマッピング及びＱＣＬ構成情報を構成する幾つかの方法が次のように説明される。
【００４３】
本発明の一実施形態によるフレキシブルサブフレームのＰＤＳＣＨのＲＥマッピング及びＱＣＬ構成情報を構成する第１の方法は、すべてのサブフレームに適用される、ＰＤＳＣＨのＲＥマッピング及びＱＣＬ構成情報の４つのタイプを構成するステップを含む。構成情報の４つのタイプは、ダウンリンク送信専用サブフレームに直接に適用され、調整されたＰＤＳＣＨのＲＥマッピング及びＱＣＬを構成するそれぞれの方式でフレキシブルサブフレームに適用される。
【００４４】
現在の標準によると、ＭＢＳＦＮ表示情報は、ＰＤＳＣＨのＲＥマッピング及びＱＣＬの構成の間に提供される。ダウンリンク送信専用サブフレームに対して、ＰＤＳＣＨのＲＥマッピングは、サブフレームが非ＭＢＳＦＮサブフレームとして表示される場合には、規則的なサブフレームのＣＲＳ構造に基づいて実行され、サブフレームがＭＢＳＦＮサブフレームとして表示される場合には、ＭＢＳＦＮサブフレームのＣＲＳ構造に基づいて実行される。
【００４５】
フレキシブルサブフレームに対して、ＲＥマッピングは、上位レイヤーシグナリングに従ってＣＲＳを有しないサブフレームのＣＲＳを含むＭＢＳＦＮサブフレームの構造に基づいて実行される。例えば、ＲＥマッピングがＣＲＳを有しないサブフレームの構造に基づいて実行されるか、又はＣＲＳを有するＭＢＳＦＮサブフレームの構造に基づいて実行されるかを特定するためにＰＤＳＣＨのＲＥ及びＱＣＬ構成情報に新規情報フィールドが付加され、あるいは、ＣＲＳを有するＭＢＳＦＮサブフレームの構造がＲＥマッピングに採用されるか、又はＣＲＳを有しないサブフレームの構造がＲＥマッピングに採用されるかを特定するために従来のＭＢＳＦＮ表示情報が採用される。ＭＢＳＦＮ表示情報を一例に取ると、ＰＤＳＣＨのＲＥマッピングは、送信のためにＣＲＳを有するＭＢＳＦＮサブフレームの構造を使用することによりＭＢＳＦＮサブフレームとして表示されるフレキシブルサブフレームに対して実行される。ＰＤＳＣＨのＲＥマッピングは、ＣＲＳを有しないサブフレームの構造を使用することにより、すなわち、全サブフレームがＣＲＳ  ＲＥを含まない、すなわち、ＣＲＳポートの個数が０であると仮定することにより、非ＭＢＳＦＮサブフレームとして表示されるフレキシブルサブフレームに対して実行される。フレキシブルサブフレームのＰＤＳＣＨのＲＥマッピング及びＱＣＬ構成情報を構成するこのような第１の方法によると、ＲＥマッピング方式は、ＭＢＳＦＮ表示情報を使用することによりＰＤＳＣＨ  ＲＥマッピング及びＱＣＬ構成情報の４つのタイプの各々に対して定義される。例えば、ＲＥマッピング及びＱＣＬ構成情報の１つのタイプに対して、ＭＢＳＦＮ表示情報は、ＲＥマッピングのためにＣＲＳを有するＭＢＳＦＮサブフレームの構造を採用するサブフレームを特定でき、ＲＥマッピング及びＱＣＬ構成情報の他のタイプに対して、ＭＢＳＦＮ表示情報は、ＣＲＳが存在しないと仮定することにより、同一のサブフレームのＲＥマッピングが実行されることを特定できる。
【００４６】
フレキシブルサブフレームは、ただダウンリンク送信のためにＣＲＳを有しないサブフレームの構造又はＣＲＳを有する規則的なサブフレームの構造を採用することが許容されると仮定すると、ＲＥマッピング及びＱＣＬ構成は、２つの構造の中のどちらの構造が採用されるのかを特定すべきである。フレキシブルサブフレームに対して、ＲＥマッピングは、上位レイヤーシグナリングで表示されるように、ＣＲＳを有しないサブフレームの構造又はＣＲＳを有する規則的なサブフレームの構造に基づいて実行される。例えば、ＲＥマッピングがＣＲＳを有しないサブフレームの構造に基づいて実行されるか、又はＣＲＳを有する規則的なサブフレームの構造に基づいて実行されるかを特定するために、新規情報フィールドは、ＰＤＳＣＨ  ＲＥ及びＱＣＬ構成情報に付加される。あるいは、従来のＭＢＳＦＮ表示情報は、ＲＥマッピングにより採用された構造が規則的なサブフレームの構造であるか、又はＣＲＳを有しないサブフレームの構造であるかを特定するために採用される。ＭＢＳＦＮ表示情報を一例に取ると、ＭＢＳＦＮサブフレームとして表示されるフレキシブルサブフレームでのＰＤＳＣＨ送信に使用可能なＲＥは、ＣＲＳを有しないサブフレームの構造を使用することにより決定される（すなわち、ＲＥマッピングは、ＣＲＳポートの個数が０であると仮定することにより、全サブフレームがＣＲＳ  ＲＥを含まないと仮定することにより実行される）。ＰＤＳＣＨ送信のためのＲＥマッピングは、規則的なサブフレームの構造に従って非ＭＢＳＦＮサブフレームとして表示されるフレキシブルサブフレームで実行される。このような方法に従って、ＭＢＳＦＮ表示情報は、ＰＤＳＣＨのＲＥマッピング及びＱＣＬ構成情報の４つのタイプの各々に対してＲＥマッピング方式を定義するために使用される。例えば、ＲＥマッピング及びＱＣＬ構成情報の１つのタイプに対して、ＭＢＳＦＮ表示情報は、サブフレームのＲＥマッピングがＣＲＳを有する規則的なサブフレームの構造を使用して実行されることを特定でき、ＲＥマッピング及びＱＣＬ構成情報の他のタイプに対して、ＭＢＳＦＮ表示情報は、同一のサブフレームのＲＥマッピングが、ＣＲＳが存在しないという仮定の下で実行されることを特定できる。一例において、ＣＲＳを有しないサブフレームの上記構造は、ＣＲＳを有するＭＢＳＦＮサブフレームの構造に置き換えられ、したがって、フレキシブルサブフレームでのダウンリンク送信は、ＣＲＳを有するＭＢＳＦＮ構造の構造及びＣＲＳを有する規則的なサブフレームの構造のうちの１つを採用するように構成される。
【００４７】
フレキシブルサブフレーム内にＣＲＳを含むことが不可能である場合に、ＰＤＳＣＨのＲＥマッピング及びＱＣＬ構成情報の４つのタイプは、すべてＲＥマッピングが全サブフレームがＣＲＳ  ＲＥをまったく含まないという仮定の下で実行されることを表示し、したがって、ＲＥマッピング及びＱＣＬ情報に影響を及ぼす他の情報を表示すべきである。
【００４８】
あるいは、ＲＥマッピング方式は、フレキシブルサブフレームに対してＳＩＢ１に表示されるデュプレキシング方向に基づいて決定される。より具体的には、ＳＩＢ１が、フレキシブルサブフレームがダウンリンクサブフレームであることを示す場合に、ＲＥマッピングは、ＭＢＳＦＮサブフレームのＣＲＳ構造に従って実行され、ＳＩＢ１が、フレキシブルサーフフレームがアップリンクサブフレームであることを示す場合に、ＲＥマッピングは、ＣＲＳが存在しない場合の方法に従って実行される。
【００４９】
あるいは、フレキシブルサブフレームに対してＳＩＢ１で示されるデュプレキシング方向及びＭＢＳＦＮ表示情報は、ＲＥマッピング方式を決定するために組み合せで使用される。例えば、ＳＩＢ１が、フレキシブルサブフレームがダウンリンクサブフレームであることを示す場合に、フレキシブルサブフレームがＭＢＳＦＮサブフレームである場合に、ＲＥマッピングは、ＭＢＳＦＮサブフレームのＣＲＳ構造に基づいて実行される。他方、フレキシブルサブフレームが非ＭＢＳＦＮサブフレームである場合に、ＲＥマッピングは、規則的なサブフレームのＣＲＳ構造に基づいて実行される。ＳＩＢ１が、フレキシブルサブフレームがアップリンクであることを示す場合に、ＲＥマッピングは、ＣＲＳが存在しないと仮定することにより実行される。
【００５０】
フレキシブルサブフレームでＩＭＲを示すために、ダウンリンク送信専用サブフレーム及びフレキシブルサブフレームは、ＰＤＳＣＨのＲＥマッピング及びＱＣＬ構成で構成される異なるＺＰ  ＣＳＩ−ＲＳを有する。フレキシブルサブフレームのＺＰ  ＣＳＩ−ＲＳは、ダウンリンク送信専用サブフレームのＺＰ  ＣＳＩ−ＲＳとは異なるサイクリック期間及びサブフレームオフセットを有する。したがって、ＩＭＲの影響は、ＰＤＳＣＨ送信のリンク性能を向上させるためにフレキシブルサブフレームに対するレートマッチング及びＲＥマッピングの間に除去されることができる。あるいは、ＲＥマッピング及びＱＣＬ構成情報は、ＩＭＲを示す付加情報も含む。付加情報は、Ｒｅｌ−１１システムで定義されるようにＩＭＲに対する同一の構成方式を再使用できる。リリース１１で定義されている方法とは異なり、ＩＭＲを示す付加情報は、ＲＥマッピング及びＱＣＬに付加される。付加情報は、“ＵＥがレートマッチングの間にＩＭＲにより占有されるＲＥを削除し、ＲＥマッピングの間にＩＭＲにより占有されるこれらのＲＥをスキップできる”ことを示すのであろう。情報は、フレキシブルサブフレームに対するＩＭＲだけを示すか、またはダウンリンク送信専用サブフレームに対するＩＭＲ及びフレキシブルサブフレームに対するＩＭＲをそれぞれ示す。
【００５１】
本発明の一実施形態によるフレキシブルサブフレームのＰＤＳＣＨのＲＥマッピング及びＱＣＬ構成情報を構成する第２の方法は、フレキシブルサブフレーム専用ＲＥマッピング及びＱＣＬ構成情報を構成するために採用される上位レイヤーシグナリング（例えば、ＲＲＣ）を含む。例えば、ＰＤＳＣＨのＲＥマッピング方式は、フレキシブルサブフレームがＣＲＳを含むか否かに基づいて最適化され、より合理的なＱＣＬ情報は、フレキシブルサブフレームに対して構成される。
【００５２】
ＬＴＥ  Ｒ１１規格によると、ＰＤＳＣＨのＲＥマッピング及びＱＣＬ構成情報は、ＣＲＳ（セル特定基準信号）ポートの個数に関する情報を含む。フレキシブルサブフレームがＣＲＳが存在しないサブフレームの構造を採用するために、構成情報でのフレキシブルサブフレームに対応するＣＲＳポートの個数は、０ポート、１ポート、２ポート、又は４ポートであり得る。ＣＲＳポートの個数は、フレキシブルサブフレームで送信されるＣＲＳがまったくない（すなわち、フレキシブルサブフレームが、ＣＲＳが存在しないサブフレーム構造を採用する）場合に、０に設定される。
【００５３】
ＬＴＥ  Ｒ１１規格によると、ＰＤＳＣＨのＲＥマッピング及びＱＣＬ構成情報は、ＰＤＳＣＨマッピングのために開始位置でＯＦＤＭシンボルのインデックスに関する情報を含む。フレキシブルサブフレームは、ＣＲＳが存在しないサブフレーム構造を採用できるために、フレキシブルサブフレームは、ＰＤＣＣＨの送信が許容されず、したがって、サブフレーム内のすべてのＯＦＤＭシンボルは、ＰＤＳＣＨ送信のために使用可能である。あるいは、フレキシブルサブフレームがＣＲＳを含む場合に、すべてのＯＦＤＭシンボルは、ＰＤＳＣＨ送信にも使用可能である。このように、開始位置でのＯＦＤＭシンボルのインデックスは、０、１、２、３、及び４のうちの１つであり得る。開始するＯＦＤＭシンボルのインデックスは、システム帯域幅が１０個の物理リソースブロック（ＰＲＢ）より小さい場合のみに４に設定される。フレキシブルサブフレームがＣＲＳを含む場合に、ＰＤＳＣＨがマッピングされるシンボルが構成で開始するＯＦＤＭシンボルのインデックスに従ってＰＨＩＣＨ又はＰＣＦＩＣＨと衝突するＲＥに対して、２つの方法は、衝突を解決するために採用される。１つの方法は、ＰＤＳＣＨ送信のために使用されるＰＨＩＣＨ及びＰＣＦＩＣＨにより占有されるＲＥ以外のＲＥを生成し、他の方法は、開始するＯＦＤＭシンボルのインデックスから始めるすべてのＯＦＤＭシンボルからＰＤＳＣＨを受信する（すなわち、ＵＥは、ＰＤＳＣＨがＰＨＩＣＨ及びＰＣＦＩＣＨにより占有されるＲＥでも送信されると仮定する）。
【００５４】
フレキシブルサブフレームがダウンリンク送信を実行するために規則的なサブフレームの構造、ＣＲＳを有するＭＢＳＦＮサブフレームの構造、又はＣＲＳを有しないサブフレームの構造を採用する場合に、上述した３個のＣＲＳ構造のうちの１つがＲＥマッピングを実行するためにフレキシブルサブフレームに対するＲＥマッピング及びＱＣＬ情報の構成の間に表示される。
【００５５】
フレキシブルサブフレームがダウンリンク送信のためにＣＲＳを有しない構造又はＭＢＳＦＮ構造だけを採用する場合に、ＲＥマッピング及びＱＣＬの構成情報は、２つの構造のうちのどちらの構造が採用されるかを識別しなければならない。現在の標準によると、ＭＢＳＦＮ表示情報は、ＰＤＳＣＨのＲＥマッピング及びＱＣＬの構成の間に提供される。フレキシブルサブフレームに対して、ＲＥマッピングは、上位レイヤーシグナリングに従って規則的なサブフレームのＣＲＳ構造又はＭＢＳＦＮサブフレームのＣＲＳ構造に基づいて実行される。例えば、新規情報フィールドは、ＲＥマッピングがＭＢＳＦＮサブフレームのＣＲＳ構造に基づいて実行されるか、又はＣＲＳを有しないサブフレームの構造に基づいて実行されるかを特定するためにＰＤＳＣＨのＲＥマッピング及びＱＣＬ構成情報に付加される。あるいは、従来のＭＢＳＦＮ表示情報は、ＲＥマッピングにより採用された構造がＭＢＳＦＮサブフレームの構造であるか又はＣＲＳを有しないサブフレームの構造であるかを特定するために採用される。ＭＢＳＦＮ表示情報が採用される場合に、ＭＢＳＦＮサブフレームとして表示されるフレキシブルサブフレームは、ＭＢＳＦＮ構造を採用し、ＣＲＳポートの個数及び周波数オフセットを使用してＰＤＳＣＨ送信に対するＲＥを識別し、非ＭＢＳＦＮサブフレームとして表示されるフレキシブルサブフレームは、ＣＲＳが存在しないと仮定することによりＰＤＳＣＨのＲＥマッピングを実行する。ＭＢＳＦＮ表示情報は、ＰＤＳＣＨのＲＥマッピング及びＱＣＬ構成情報の４つのタイプの各々に対してＲＥマッピング方式を定義するために使用される。例えば、ＲＥマッピング及びＱＣＬ構成情報の１つのタイプは、ＭＢＳＦＮサブフレームのＣＲＳ構造に基づいて実行されるサブフレームのＲＥマッピングを示すためにＭＢＳＦＮ表示情報を使用でき、ＲＥマッピング及びＱＣＬ構成情報の他のタイプは、ＣＲＳが存在しないと仮定して実行される同一のサブフレームのＲＥマッピングを示すためにＭＢＳＦＮ表示情報を使用できる。
【００５６】
フレキシブルサブフレームは、ただダウンリンク送信のためにＣＲＳを有しないサブフレームの構造又はＣＲＳを有する規則的なサブフレームの構造を採用することが許容されると仮定すると、ＲＥマッピング及びＱＣＬ構成情報は、２つの構造の中のどちらの構造が採用されるかを特定すべきである。フレキシブルサブフレームに対して、ＲＥマッピングは、上位レイヤーシグナリングで表示されるように、ＣＲＳを有しないサブフレームの構造又はＣＲＳを有する規則的なサブフレームの構造に基づいて実行される。例えば、新規情報フィールドは、ＣＲＳを有する規則的なサブフレームの構造に基づいて実行されるか、又はＲＥマッピングがＣＲＳを有する規則的なサブフレームの構造に基づいて実行されるかを特定するために、ＰＤＳＣＨ  ＲＥ及びＱＣＬ構成情報に付加される。あるいは、従来のＭＢＳＦＮ表示情報は、ＲＥマッピングにより採用された構造がＣＲＳを有する規則的なサブフレームの構造であるか、又はＣＲＳを有しないサブフレームの構造であるかを特定するために採用される。ＭＢＳＦＮ表示情報を一例に取ると、ＭＢＳＦＮサブフレームとして表示されるフレキシブルサブフレームでのＰＤＳＣＨ送信に使用可能なＲＥは、ＣＲＳを有しないサブフレームの構造を使用することにより決定される。ＲＥマッピングが全サブフレームがＣＲＳ  ＲＥを含まないという仮定の下で実行される場合に、ＣＲＳポートの個数が０であると仮定する。ＰＤＳＣＨ送信のためのＲＥマッピングは、ＣＲＳを有する規則的なサブフレームの構造に従って非ＭＢＳＦＮサブフレームとして表示されるフレキシブルサブフレームで実行される。このような方法に従って、ＭＢＳＦＮ表示情報は、ＰＤＳＣＨのＲＥマッピング及びＱＣＬ構成情報の４つのタイプの各々に対してＲＥマッピング方式を定義するために使用される。例えば、ＲＥマッピング及びＱＣＬ構成情報のうちの１つのタイプに対して、ＭＢＳＦＮ表示情報は、サブフレームのＲＥマッピングがＣＲＳを有する規則的なサブフレームの構造を使用することにより実行されることを特定でき、ＲＥマッピング及びＱＣＬ構成情報の他のタイプに対して、ＭＢＳＦＮ表示情報は、ＣＲＳが存在しないと仮定することにより同一のサブフレームのＲＥマッピングが実行されることを特定できる。一例において、ＣＲＳを有しないサブフレームの上記構造は、ＣＲＳを有するＭＢＳＦＮサブフレームの構造に置き換えられ、したがって、フレキシブルサブフレームでのダウンリンク送信は、ＣＲＳを有する規則的なサブフレームの構造及びＣＲＳを有するＭＢＳＦＮサブフレームの構造のうちの１つを採用するように構成される。
【００５７】
フレキシブルサブフレーム内にＣＲＳを含むことが不可能である場合に、ＲＥマッピング及びＱＣＬの構成情報は、ＲＥマッピング及びＱＣＬ情報に影響を及ぼす他の情報をただ表示するために必要である。ＲＥマッピング及びＱＣＬと関連した他のパラメータは、２つのタイプのサブフレーム（すなわち、フレキシブルサブフレーム及び固定されたデュプレキシング方向を有するサブフレーム）に対しても異なる。例えば、同一のインデックスを有するＲＥマッピング及びＱＣＬの構成情報は、異なるＮＺＰ  ＣＳＩ−ＲＳリソースに対応する。
【００５８】
フレキシブルサブフレームでＩＭＲを示すために、フレキシブルサブフレーム専用ＺＰ  ＣＳＩ−ＲＳ構成は、ＰＤＳＣＨのＲＥマッピング及びＱＣＬの構成情報で設定される。フレキシブルサブフレームのＺＰ−ＣＳＩ−ＲＳは、ダウンリンク送信専用サブフレームのＺＰ  ＣＳＩ−ＲＳとは異なるサイクリック期間及びサブフレームオフセットを有する。したがって、ＩＭＲの影響は、ＰＤＳＣＨ送信のリンク性能を向上させるために、フレキシブルサブフレームに対するレートマッチング及びＲＥマッピングの間に除去されることができる。あるいは、ＲＥマッピング及びＱＣＬ構成情報は、ＩＭＲを示す付加情報も含む。付加情報は、Ｒｅｌ−１１システムで定義されるようにＩＭＲに対する同一の構成方式を再使用できる。リリース１１で定義されている方法とは異なり、ＩＭＲを示す付加情報は、ＲＥマッピング及びＱＣＬに付加される。付加情報は、“ＵＥがレートマッチングの間にＩＭＲにより占有されるＲＥを削除し、ＲＥマッピングの間にＩＭＲにより占有されるこれらのＲＥをスキップできる”ことを示すのであろう。情報は、フレキシブルサブフレームのみに対するＩＭＲを示すか、またはフレキシブルサブフレームに対するＩＭＲ及びダウンリンク送信専用サブフレームに対するＩＭＲをそれぞれ示す。
【００５９】
本発明の一実施形態によるフレキシブルサブフレームのＰＤＳＣＨのＲＥマッピング及びＱＣＬ構成情報を構成する第３の方法は、次のように説明される。フレキシブルサブフレームのＰＤＳＣＨのＲＥマッピング及びＱＣＬ構成情報を構成する第３の方法において、フレキシブルサブフレームは、常にＲＥマッピング及びＱＣＬの同一の構成情報を採用する。ＲＥマッピング及びＱＣＬ構成情報は、ＲＲＣシグナリングを通してフレキシブルサブフレームに対して専用に構成されるか、又はダウンリンク送信専用サブフレームに対するＲＥマッピング及びＱＣＬの構成情報の４つのタイプのうちの１つである。
【００６０】
図７に示すように、ステップ２０１Ｃは、図２のステップ２０１に使用されることができる。図７を参照すると、ステップ２０１Ａにおいて、ＵＥは、ＰＵＳＣＨを通して構成情報を受信し、フレキシブルサブフレームに対する構成情報は、固定されたサブフレームに対する構成情報とは異なる。ＵＥのＰＤＳＣＨ送信に対するＲＥマッピング及びＱＣＬの４つのタイプの構成を定義する方法と類似して、ＰＵＳＣＨ送信構成の複数のタイプは、ＵＥのＰＵＳＣＨ送信のために構成され、採用されるＰＵＳＣＨ送信構成のタイプは、アップリンク送信をスケジューリングするためのＤＣＩフォーマットで動的に表示される。
【００６１】
例えば、１つの可能な可変パラメータは、ＰＵＳＣＨ送信のためのＯＦＤＭシンボルの開始位置である。ＰＵＳＣＨの２つのＲＥマッピング方式は、パラメータを使用して定義される。これらの２つのＲＥマッピング方式のうちの１つは、第１のＯＦＤＭシンボルを除外した時間期間がアップリンク送信のために使用されることを示す。２つのＲＥマッピング方式のうちの他の１つは、サブフレーム内のすべてのシンボルがアップリンク送信のために使用されることを示す。
【００６２】
他の可能なパラメータは、セル特定ＳＲＳシンボルがアップリンクサブフレームで構成されるか否か、すなわち、サブフレーム内の最後のＳＣＦＤＭＡシンボルが予約され、したがって、ＰＵＳＣＨ送信のために使用されることができないか否かを示す。
【００６３】
ＵＥのＰＵＳＣＨ送信が異なる送信ポイント（ＴＰ）から受信され、ＵＥから異なるＴＰまでの伝搬遅延が一般的に異なるために、ＰＵＳＣＨ送信の時間アドバンス（ＴＡ）が構成される。ＵＥのＰＵＳＣＨ送信に対するダウンリンク基準タイミングも構成される。例えば、構成は、ＵＥがＵＥのアップリンク送信時間を決定するためにダウンリンク信号を測定するために使用するＮＺＰ  ＣＳＩ−ＲＳを示す。上記方法によると、ＵＥがＰＵＳＣＨを受信するＴＰが動的に選択されることができ、したがって、リンク性能を最適化することができる。
【００６４】
ＰＤＳＣＨ処理方法と同様に、ＰＵＳＣＨ送信のための構成の複数のタイプは、すべてのサブフレームに構成され適用される。あるいは、アップリンク送信専用サブフレーム及びフレキシブルサブフレームは、個別のシグナリングを通して構成されるＰＵＳＣＨ送信のそれぞれの構成を有する。
【００６５】
図８に示すように、ステップ２０１Ｄは、図２のステップ２０１に使用されることができる。図８を参照すると、ステップ２０１Ａにおいて、ＵＥは、ＥＰＤＣＣＨを通して構成情報を受信し、フレキシブルサブフレームに対する構成情報は、固定されたサブフレームに対する構成情報と異なる。フレキシブルサブフレームがダウンリンクサブフレームとして使用される場合に、フレキシブルサブフレームに送信されるＥＰＤＣＣＨは、ダウンリンク送信専用の他のサブフレームの構成方法とは異なる構成方法を採用できる。本発明の一実施形態によると、２つのタイプのサブフレーム、すなわち、フレキシブルサブフレーム及び固定されたデュプレキシング方向を有するサブフレームは、異なる干渉分布を有し、ＥＰＤＣＣＨ送信の間に他のセルのアップリンク送信の影響を考慮する必要があり、したがって、それぞれのＥＰＤＣＣＨ送信に適合した異なるＰＲＢを有する。フレキシブルサブフレームでＥＰＤＣＣＨ送信専用ＥＰＤＣＣＨセットのパラメータは、ＲＲＣシグナリングを通して構成される。ＥＰＤＣＣＨセットの次のパラメータのうちの１つ以上は、ダウンリンク送信専用サブフレームのパラメータとは異なる。
【００６６】
１．  ＵＥブラインド検出のためのＥＰＤＣＣＨセットの個数が構成されることができる、すなわち、サブフレームの上記２つのタイプで同一のＵＥにより検出されるＥＰＤＣＣＨセットの個数が異なる。
【００６７】
２．  分配されたＥＰＤＣＣＨセット又は局部的なＥＰＤＣＣＨセットであり得るＥＰＤＣＣＨセットのタイプが構成され、サブフレームの上記２つのタイプでＵＥにより検出されるＥＰＤＣＣＨセットの各タイプの個数又はＥＰＤＣＣＨセットのタイプが異なる。
【００６８】
３．  ＥＰＤＣＣＨセットにより占有されるＰＲＢ対の個数及びインテックスが構成される。ＬＴＥリリース１１において、ＥＰＤＣＣＨセットに含まれたＰＲＢ対の個数は、２、４、又は８であり、サブフレームの上記２つのタイプでＵＥにより検出されるＰＲＢ対の個数及びインデックスが異なる。
【００６９】
４．  ＥＰＤＣＣＨセットでそれぞれの収束レベルの候補ＥＰＤＣＣＨの個数が構成される、すなわち、ＵＥのサブフレームの２つのタイプに対応する１つのＥＰＤＣＣＨセットの各収束レベルで候補ＥＰＤＣＣＨの個数が異なる。例えば、ＥＰＤＣＣＨ送信の信頼性を向上させるために、フレキシブルサブフレームでのＥＰＤＣＣＨに使用可能なもっとも小さな収束レベルは、２つの強化した制御チャネルエレメント（ＥＣＣＥ）であり得、または、ＥＰＤＣＣＨのもっとも小さな収束レベルは、フレキシブルサブフレームの干渉レベルに従って構成される。例えば、干渉が強い場合に、もっとも小さな収束レベルは、上位レイヤーシグナリングを通して２つのＥＣＣＥとして構成される。
【００７０】
５．  ＥＰＤＣＣＨセットでＥＰＤＣＣＨ送信のためのＯＦＤＭシンボルの開始位置が構成される、すなわち、ＵＥのサブフレームの上記２つのタイプでＥＰＤＣＣＨ送信のためのＯＦＤＭシンボルの開始位置が異なる。ＥＰＤＣＣＨ送信のためのＯＦＤＭシンボルの異なる開始位置は、ＣＲＳが除去されたフレキシブルサブフレーム及びＭＢＳＦＮタイプのフレキシブルサブフレームに対して構成される。ＣＲＳが除去されたフレキシブルサブフレームのＥＰＤＣＣＨのＲＥマッピングは、サブフレームでＯＦＤＭシンボルの開始位置から実行される。
【００７１】
６．  ＥＰＤＣＣＨに対するＲＥマッピング方法が構成される、すなわち、ＵＥのサブフレームの上記２つのタイプで同一のＥＰＤＣＣＨに対してＲＥマッピングを実行する方法が異なる。ＲＥマッピングの間に考慮すべきＺＰ  ＣＳＩ−ＲＳの構成もサブフレームの２つのタイプに対して異なる。
【００７２】
フレキシブルサブフレームの干渉防止性能を向上させるために、フレキシブルサブフレームは、回帰モードだけがフレキシブルサブフレームでＵＬ／ＤＬデータ送信に採用されることができるように定義される。例えば、サブフレームは、空間周波数ブロック符号化（ＳＦＢＣ）基盤送信ダイバーシティ技術だけがダウンリンクデータ送信のために使用されることができるように定義され、これにより、ＵＥは、ＵＥのＵＥ特定検索空間で検出制御情報フォーマット１Ａ（ＤＣＩ  １Ａ）のみを使用すべきであり、あるいは、ＵＥは、フレキシブルサブフレームで単一送信アンテナ基盤アップリンクデータ送信をスケジューリングするためにＤＣＩフォーマット０だけを使用する。
【００７３】
ＬＴＥリリース１１標準によると、送信モード１０において、ＵＥのそれぞれのＥＰＤＣＣＨセットに対するＲＥマッピング及びＱＣＬの構成は、ＵＥのＰＤＳＣＨのＲＥマッピング及びＱＣＬの４個の構成のうちの１つと継続して一致する。したがって、異なるＥＰＤＣＣＨセットは、異なるＮＺＰ  ＣＳＩ−ＲＳ及びＱＣＬ関係にあり得る。異なるＺＰ  ＣＳＩ−ＲＳ構成が存在し、ＣＲＳポートの個数及びＭＢＳＦＮサブフレーム構成も異なる。
【００７４】
ＰＤＳＣＨのＲＥマッピング及びＱＣＬを構成する上述した第１の方法、すなわち、ＲＥマッピング及びＱＣＬの４つのタイプの構成が定義され、すべてのサブフレームに適用される場合に、それぞれのＥＰＤＣＣＨセットは、４つのタイプの構成のうちの１つと継続して一致する。ＰＤＳＣＨのＲＥマッピング及びＱＣＬを構成する上述した第２の方法が採用される場合に、すなわち、ＰＤＳＣＨのＲＥマッピング及びＱＣＬの専用構成がフレキシブルサブフレームに対して定義される場合に、フレキシブルサブフレームでのそれぞれのＥＰＤＣＣＨは、ＰＤＳＣＨのＲＥマッピング及びＱＣＬの専用構成のうちの１つと一致する。
【００７５】
ＰＤＳＣＨのＲＥマッピング及びＱＣＬ情報の対応するインデックス及びフレキシブルサブフレームのＥＰＤＣＣＨセットのインデックスを関連させる関係は、ダウンリンク送信専用サブフレームのそれと一致する。したがって、付加シグナリングは、まったく必要ない。あるいは、付加ＲＲＣシグナリングは、フレキシブルサブフレームに対するＰＤＳＣＨのＲＥマッピング及びＱＣＬ情報とＥＰＤＣＣＨセットを関連させる関係を構成するために送信される。同一のインデックスを有するＥＰＤＣＣＨセットは、２つのタイプのサブフレームで異なるＱＣＬ関係を有する、すなわち、同一のＥＰＤＣＣＨに対応し、ＱＣＬ関係を満足させるＤＭＲＳのＣＳＩ−ＲＳリソースは、ＵＥの２つのタイプのサブフレームに対して異なる。
【００７６】
また、基地局がフレキシブルサブフレームに対するＥＰＤＣＣＨセットの新規専用パラメータを構成しない場合に、このような新規構成の不在は、フレキシブルサブフレームがダウンリンク送信専用サブフレームにより採用されたＥＰＤＣＣＨセットの同一のパラメータを採用するデフォルト状況として解釈される。特に、送信モード１０において、ＥＰＤＣＣＨセットの新規ＲＥマッピング及びＱＣＬ関係がフレキシブルサブフレームに対して構成されない場合に、このような新規構成の不在は、フレキシブルサブフレームがダウンリンク送信専用の他のサブフレームにより採用されたものと同一のＲＥマッピング及びＱＣＬ関係を採用するデフォルト状況として見なされる。
【００７７】
図２をさらに参照すると、ステップ２０２において、ＵＥは、フレキシブルサブフレームで基地局により送信されるダウンリンク制御情報を検出し、ダウンリンク制御情報に対応するダウンリンクデータを受信し、ダウンリンクチャネル状態表示情報（ＣＳＩ）及びダウンリンクデータのＨＡＲＱ−ＡＣＫを基地局に報告する。
【００７８】
フレキシブルサブフレーム及びダウンリンク送信専用サブフレームは、異なる干渉分布及び異なるチャネル状態を有し、したがって、干渉信号は、正確なＣＳＩフィードバック情報を取得するためにフレキシブルサブフレーム及びダウンリンク送信専用サブフレームでそれぞれ測定される。ＬＴＥリリース１１及びＬＴＥ標準の以前のバージョンに従う通信は、異なるサブフレームセットに対するＣＳＩのフィードバックをすでに許容している。例えば、ダウンリンク送信専用サブフレームは、干渉が測定されるサブフレームセットとして定義され、フレキシブルサブフレームは、干渉が測定されるサブフレームセットとして定義される。ＣＲＳが一般的にフレキシブルサブフレーム又はフレキシブルサブフレームのデータフィールドで送信されないために、干渉は、特定の時間周波数リソースで測定される。
【００７９】
ＬＴＥリリース１１において、４個のポートでＣＳＩ−ＲＳを占有するＲＥである干渉測定のためのＩＭＲが定義される。ＬＴＥリリース１１によると、現在のセルは、ＩＭＲ上にダウンリンク信号を送信せず、他のセルは、ＩＭＲ上にＰＤＳＣＨを送信でき、したがって、これらのＲＥから受信される信号は、干渉の分布を直接に反映する。
【００８０】
本発明の一実施形態によると、２つのＩＭＲは、２つの異なるそれぞれのサブフレームセットに対して構成される。ｉ（ｉ＝０，１）番目のＩＭＲとして機能するＺＰ  ＣＳＩ−ＲＳに対して、サイクリック期間Ｔｉ、サブフレームオフセットｋｉ、及びサブフレームでＺＰ  ＣＳＩ−ＲＳにより占有されるＣＳＩ−ＲＳポートのＲＥリソースが構成される。
【００８１】
２つのＩＭＲは、相互のパラメータとは異なる、上記パラメータ、すなわち、サイクリック期間Ｔｉ、サブフレームオフセットｋｉ、及びサブフレームでＩＭＲにより占有されるＣＳＩ−ＲＳのＲＥリソースの一部又は全体を有する。例えば、２つのＩＭＲリソースは、同一のサイクリック期間を有し、サブフレームでＣＳＩ−ＲＳの同一のＲＥリソースを占有するが、異なるサブフレームオフセットを有する。異なるサブフレームオフセットは、２つのＩＭＲが２つのサブフレームセットでの干渉がそれぞれ測定されるように２つの異なるサブフレームセットに位置することを保証する。
【００８２】
１つのサブフレームセットは、ダウンリンク送信専用サブフレームのすべてを含み、他のサブフレームセットは、フレキシブルサブフレームのすべてを含む。あるいは、サブフレームセットは、フレキシブルサブフレーム及びダウンリンク送信専用サブフレームに基づく代わりに干渉レベルを基づいて分類される。例えば、１つのサブフレームセットは、干渉が他のセルでダウンリンク送信により主に引き起こされるフレキシブルサブフレーム及びダウンリンク送信専用サブフレームのすべてを含み、他のサブフレームセットは、第１のサブフレームセットでフレキシブルサブフレームを除外することにより他のフレキシブルサブフレームを含む。
【００８３】
また、異なるフレキシブルサブフレームは、一般的に、干渉の異なる分布を有する。例えば、サブフレーム３、サブフレーム４、及びサブフレーム８、及びサブフレーム９がフレキシブルサブフレームである場合に、サブフレーム３及びサブフレーム８は、サブフレーム４及びサブフレーム９よりアップリンク送信のために使用される確率が高い。したがって、干渉分布が異なる。上記の分析に基づいて、サブフレームは、それぞれのサブフレームセットが類似した干渉レベルを有するフレキシブルサブフレーム及び／又はダウンリンク送信専用サブフレームのみを含む複数のサブフレームセットに分類されたフレキシブルサブフレームを有するように、Ｎ（ここで、Ｎは、２より大きい）個のサブフレームセットに分類される。このような例において、Ｎ（ここで、Ｎは、２より大きい）個のＩＭＲは、Ｎ個の異なるサブフレームセットにより使用するためにそれぞれ構成される。このような構成は、上述したＩＭＲ割り当て方法の拡張として見なされることができる。
【００８４】
フレキシブルサブフレームは、ダウンリンク送信又はアップリンク送信のために使用される。フレキシブルサブフレームがアップリンク送信のために一部のＵＥにより現在使用されている場合に、ダウンリンク干渉測定のためのセル内の他のＵＥの要求も満足しなければならない。本発明の一実施形態によると、現在のセルの他のＵＥがセルでアップリンク送信のために使用される時にフレキシブルサブフレームに対する干渉をやはり測定する必要がある場合に、アップリンク信号がダウンリンク干渉測定のために使用される時間周波数リソースで送信されないはずであることが保証されなければならない。他のセルは、他のセルがアップリンク送信又はダウンリンク送信を実行しているか否かに関係なく、現在のセルのダウンリンクＩＭＲでＰＵＳＣＨ又はＰＤＳＣＨを送信する。ＵＥは、上述した２つの条件がすべて満足する場合のみフレキシブルサブフレームでの干渉の正確な測定を取得できる。
【００８５】
フレキシブルサブフレームが現在のセルでアップリンク送信のためにスケジューリングされる場合にも、ＵＥのダウンリンク干渉測定を実行するために、現在のセルでアップリンク送信及びダウンリンク送信のタイミングは、ダウンリンク信号が現在のセルでダウンリンク干渉測定のために使用されるＲＥで送信されないようにＯＦＤＭシンボルのレベルで相互に継続して同期化する。セル内のＵＥ及び基地局が異なる伝搬遅延を有するために、ＯＦＤＭシンボルのレベルで正確に同期化したアップリンク／ダウンリンク信号を保持することは不可能である。しかしながら、伝搬遅延は、小さなセルに対して重要でない役割をするために、ＯＦＤＭシンボルのレベルで準同期化（quasi-synchronization）がサブフレーム境界の整列を要求せず保持されることができる限り、干渉の相対的に正確な測定が取得されることができる。
【００８６】
ＬＴＥ標準によると、フレキシブルサブフレームがＵＬ／ＤＬ送信のために使用される場合に、すなわち、副搬送波の半分のオフセットが存在する場合に、ＵＥのアップリンク信号は、実際に副搬送波の半分を占有し、アップリンク／ダウンリンク副搬送波の誤整列（ill-alignment）をもたらす。ＵＬ／ＤＬ副搬送波は、正確な干渉測定を取得するために整列されなければならない。本発明の一実施形態によるこのような整列を実行する方法は、単一搬送波特性に適合しない、ＬＴＥのダウンリンクサブフレームのＰＲＢ及び副搬送波の分類に従ってフレキシブルサブフレームでアップリンク信号を送信するステップを含む。他の方法は、ＬＴＥのアップリンクサブフレームのＰＲＢ及び副搬送波の分類に従ってフレキシブルサブフレームでダウンリンク信号を送信するステップを含む。
【００８７】
フレキシブルサブフレームでアップリンク送信のために単一搬送波特性を保持する必要がない場合に、ＬＴＥリリース１１のＩＭＲが採用される。ビットドリリング（drilling）は、フレキシブルサブフレームのＵＬ／ＤＬ送信のタイミングオフセットに従って、すなわち、フレキシブルサブフレームがＵＬ／ＤＬ送信のために使用される場合に、ＯＦＤＭシンボルのタイミングオフセットによりアップリンク送信信号に対して実行される。したがって、ダウンリンク信号は、現在のセルでフレキシブルサブフレームのＩＭＲに送信されないであろう。
【００８８】
フレキシブルサブフレームでアップリンク送信のために単一搬送波特性を保持する必要がある場合に、ＩＭＲの新規時間周波数構造が定義される。ＩＭＲのこのような新規構造は、ここで“強化したＩＭＲ（ｅＩＭＲ）”と称される。現在のＩＭＲは、ＯＦＤＭシンボルで６個の副搬送波ごとに１つの副搬送波を占有する。残りのＲＥでＵＥによりアップリンク信号を送信するステップは、単一搬送波特性を違反するはずである。ダウンリンク干渉測定のための上述した２つの要求を充足させるために、ＵＥは、何のアップリンク信号もｅＩＭＲに送信せず、アップリンク信号の単一搬送波特性を保持しつつ同一のＯＦＤＭシンボル内で他の副搬送波にアップリンク信号を送信する必要がある。図３は、本発明の一実施形態によるｅＩＭＲを示す概略図である。ｅＩＭＲは、反復因数（ＲＰＦ）が２である（すなわち、ｅＩＭＲが２つの副搬送波ごとに１つを占有する）方法を使用してＯＦＤＭシンボルに含まれるように定義される。ＵＥは、アップリンク送信のためにｅＩＭＲにより占有されるＲＥを使用せず、ｅＩＭＲにより占有されない副搬送波リソースの他の半分にアップリンクデータを送信する。
【００８９】
レートマッチング及びＰＵＳＣＨ  ＲＥマッピングを実行する場合に、すなわち、ｅＩＭＲにより占有されるＲＥを除外したＰＵＳＣＨ  ＲＥの個数を使用してレートマッチングを実行する場合に、ＵＥは、ｅＩＭＲにより占有されるＲＥを無視する。あるいは、ＵＥは、ｅＩＭＲに対応するＲＥの直交振幅変調（ＱＡＭ）シンボルだけを除去するために従来のレートマッチング方法を採用する。
【００９０】
フレキシブルサブフレームのデュプレキシング方向がｅＩＭＲタイミングに従って変わるために、ＮＺＰ  ＣＳＩ−ＲＳは、サブフレームで送信されないか、又はフレキシブルサブフレームは、ダウンリンク送信のために使用される。
【００９１】
上述した２つの方法は、ｅＩＭＲを含むように構成されるフレキシブルサブフレームがアップリンク送信のためにスケジューリングされるという仮定に基づき、これは、アップリンク送信を実行するようにスケジューリングされるＵＥが当時に干渉を測定できないことを意味し、これは、ＣＳＩの干渉測定に否定的な影響を及ぼす。
【００９２】
上記の観点において、本発明の一実施形態によるＩＭＲを構成する他の方法は、ＩＭＲが第１のフレキシブルサブフレームに構成される場合に、ＩＭＲのタイミングでダウンリンク送信のために使用されるｅＮＢ（Evolved Node B）の第１のフレキシブルサブフレームを生成するステップと、第２のフレキシブルサブフレームがＩＭＲを含まない場合に、第１のフレキシブルサブフレームのインデックスと同一の無線フレームのインデックスを有する第２のフレキシブルサブフレームのデュプレキシング方向を作るステップとを含む。本発明の一実施形態によると、隣接セルは、ＩＭＲが干渉をより正確に反映するようにするために現在のセル内のＩＭＲを有するサブフレームとは異なるサブフレームで構成されるＩＭＲを有する。したがって、セルのＩＭＲは、他のセルでＩＭＲにより占有されるリソースのデュプレキシング方向がすべてフレキシブルであるので、干渉の実際の条件を反映できる。
【００９３】
本発明の一実施形態は、上述した方法に対応する装置を提供する。図４に示すように、装置は、送信／受信モジュール４１０、構成モジュール４２０、及びフィードバックモジュール４３０を含む。
【００９４】
送信／受信モジュール４１０は、構成情報を構成モジュールに送信し、フレキシブルサブフレームで基地局により送信されるダウンリンク制御情報を検出し、ダウンリンク制御情報に対応するダウンリンクデータを受信するフレキシブルサブフレームでダウンリンク送信の構成情報を受信するように構成される。
【００９５】
図９に示すように、ＵＥハードウェアにおいて、ＵＥは、プロセッサ９１０、メモリ９２０、及び送受信器（図示せず）を有する。プロセッサ９１０は、モジュール４１０をサポートする機能を実行し、メモリ９２０は、ＵＥハードウェア実現の機械コードを記憶し、受信及び送信が行われる必要があるダウンリンク及びアップリンク制御／データをバッファする（buffer）。
【００９６】
構成モジュール４２０は、デュプレキシング方向が固定されるサブフレームに対する構成とは異なるフレキシブルサブフレームに対する構成を実行するように構成される。ＵＥでのそれぞれの機能に対して、モジュール４３０は、図５、図６、図７、又は図８のステップ２０１Ａ、２０１Ｂ、２０１Ｃ、又は２０１Ｄに従って実行する。
【００９７】
フィードバックモジュール４３０は、ＣＳＩ及びダウンリンクデータに対するＨＡＲＱ−ＡＣＫを基地局に報告するように構成される。フィードバックモジュール４３０は、図２のステップ２０２に従って実行する。
図４に示すモジュールは、上述した方法に従ってそれぞれの機能を実現し、明確性及び簡潔性のために、ここでは、より詳細に説明しない。
【００９８】
本発明の実施形態による方法及び装置を採用することにより、フレキシブルサブフレームがダウンリンク送信のために使用される場合に、ダウンリンク送信専用サブフレームのＵＬ／ＤＬ送信方法とは異なるＵＬ／ＤＬ送信方法がフレキシブルサブフレームに対して構成され、したがって、フレキシブルサブフレームでＥＰＤＣＣＨ送信の信頼性及びフレキシビリティが向上し、フレキシブルサブフレームに対するＣＳＩフィードバック情報の正確性も向上する。
【００９９】
以上、本発明を具体的な実施形態を参照して詳細に説明してきたが、本発明の範囲を逸脱することなく様々な修正例又は変更例が可能である。したがって、本発明の範囲は、上述の実施形態に限定されるべきではなく、特許請求の範囲の記載及びこれと均等なものの範囲内で定められるべきである。
【符号の説明】
【０１００】
４１０  送信／受信モジュール
４２０  構成モジュール
４３０  フィードバックモジュール
９１０  プロセッサ
９２０  メモリ
【図１】
0006433919.tif 000003
【図２】
0006433919.tif 000004
【図３】
0006433919.tif 000005
【図４】
0006433919.tif 000006
【図５】
0006433919.tif 000007
【図６】
0006433919.tif 000008
【図７】
0006433919.tif 000009
【図８】
0006433919.tif 000010
【図９】
0006433919.tif 000011